【手続補正書】
【提出日】平成30年5月29日(2018.5.29)
【手続補正１】
【補正対象書類名】明細書
【補正対象項目名】発明の名称
【補正方法】変更
【補正の内容】
【発明の名称】無線タグ及びタイムスロット通信システム
【手続補正２】
【補正対象書類名】明細書
【補正対象項目名】０００５
【補正方法】変更
【補正の内容】
【０００５】
当該本発明の課題は、請求項１に係る無線タグ及び請求項１６に係るシステムによって解決される。
【手続補正３】
【補正対象書類名】特許請求の範囲
【補正対象項目名】全文
【補正方法】変更
【補正の内容】
【特許請求の範囲】
【請求項１】
無線タグ（７−１４）が、タイムスロット通信方法を用いて通信ステーション（３、４）と通信するように構成されていて、繰り返しの連続で、１つのタイムスロットサイクルにつき、複数のタイムスロット（Ｚ１−ＺＮ）が当該通信のために設けられていて、各タイムスロット（Ｚ１−ＺＮ）に、一義的なタイムスロット記号（ＺＳ１−ＺＳＮ）が付けられている当該無線タグ（７−１４）において、
−上記通信ステーションは、目下のタイムスロット（Ｚ１−ＺＮ）のために、それぞれの前記タイムスロット（Ｚ１−ＺＮ）の開始時に、そのタイムスロット記号（Ｚ１−ＺＮ）を含む同期化データ信号（ＳＤ）を発信するように構成されていて、
上記無線タグ（７−１４）は、
＋ウェークアップ時刻（ＴＡ１）に、スリープ状態（Ｓ）からアクティブ状態（Ｅ）に切り替え、
＋上記アクティブ状態（Ｅ）で、上記同期化データ信号（ＳＤ）を受信し、
＋その無線タグによって予測される時刻に又はその予測期間に出現し、その無線タグに対して特定されるタイムスロット（ＺＳ１−ＺＳＮ）を示す上記タイムスロット記号（ＺＳ１−ＺＳＮ）を識別することだけによって、その無線タグと上記通信ステーション（３，４）との同期状態を確認し、
＋受信したタイムスロット記号（ＺＳ１−ＺＳＮ）が、無線タグ（７−１４）に指定されたタイムスロット（Ｚ１−ＺＮ）を表示する場合に、目下のタイムスロットサイクルの後続のタイムスロットサイクルに、指定されているタイムスロット（Ｚ１−ＺＮ）の次の出現に対応する新ウェークアップ時刻（ＴＡ２）を定義し、前記無線タグ（７−１４）が、その同期状態を確認した後に、再度スリープ状態へ切り替え、そこで、再度、ウェークアップと、スリープ状態からアクティブ状態への切り替えとが、次のタイムスロットサイクルにおける新しいウェークアップ時刻に実行されるまでとどまるように構成されている当該無線タグ（７−１４）。
【請求項２】
上記受信したタイムスロット記号（ＺＳ１−ＺＳＮ）が、無線タグ（７−１４）に指定されたタイムスロット（Ｚ１−ＺＮ）を表示する場合、含まれているアドレスデータ（ＡＤ）に関して同期化データ信号（ＳＤ）を評価することと、当該無線タグ（７−１４）が個別的アドレスされているかを確認するように、上記無線タグ（７−１４）は構成されている請求項１に記載の無線タグ（７−１４）。
【請求項３】
アドレスデータ（ＡＤ）を用いて複数の無線タグ（７−１４）がアドレスされている場合に、自分のアドレス以外にその他の１つまたは複数のアドレスされている無線タグ（７−１４）を評価し、確認データ（ＡＣＤ）の送信のために指定された期間内で、アドレスされている無線タグ（７−１４）のグループ中における確認されたアドレスに基づいて確定した自分の順番に対応する時刻に、自分の確認データ（ＡＣＤ）を送信するように、上記無線タグ（７−１４）は構成されている請求項２に記載の無線タグ（７−１４）。
【請求項４】
マルチタイムスロットコマンドが実行される各タイムスロット（Ｚ１−Ｚ３）における部分確認データ（ＡＣＤ１−ＡＣＤ３）を生成および送信するように、上記無線タグ（７−１４）は構成されている請求項３に記載の無線タグ（７−１４）。
【請求項５】
受信したデータパケット（ＤＡＴ１−ＤＡＴ３）の後であってそれぞれのタイムスロット（Ｚ１−ＺＮ）の終りの前である、上記それぞれのタイムスロット（Ｚ１−ＺＮ）の第１部分に隣接する上記それぞれのタイムスロット（Ｚ１−ＺＮ）の第２部分（３７）に、部分確認データ（ＡＣＤ１−ＡＣＤ３）を送信するように、上記無線タグ（７−１４）は構成されている請求項４に記載の無線タグ（７−１４）。
【請求項６】
タイムスロットサイクルの期間と一致する期間にわたって、特に、その期間の一部で延長された期間にわたって、同期化データ信号（ＳＤ）が受信できるかを数回確認し、同期化データ信号（ＳＤ）が来なければ無線チャンネル（１８、１９、２０−２２）を切り替え、受信確認を改めて実行するように、上記無線タグ（７−１４）は構成されている請求項１〜５のいずれか１項に記載の無線タグ（７−１４）。
【請求項７】
同期化データ信号（ＳＤ）の検索を、予め指定された無線チャンネル（１８、１９、２０−２２）のグループ、特に、無線タグ（７−１４）が通信ステーション（３、４）に接続されたときに予めその通信ステーション（３、４）によって伝送された無線チャンネル（１８、１９、２０−２２）に限定するように、上記無線タグ（７−１４）は構成されている請求項１〜６に記載の無線タグ（７−１４）。
【請求項８】
画像（３２）の表示のための表示ユニット（２７）を含み、画像（３２）は画像平面（２８、３０）に構造化され、各画像平面（２８、３０）は画像平面データ（ＥＤ１，ＥＤ２）によって表現されており、無線タグ（７−１４）は、画像平面データ（ＥＤ１、ＥＤ２）を個別的受信して、画像平面（２８、３９）を重ねることにより画像（３２）を組み立てるように構成され、
−通信ステーション（３、４）が、無線タグ（３、４）を用いて、タイムスロット全体の通信において、各画像平面データ（ＥＤ１、ＥＤ２）を伝送するように、上記無線タグ（７−１４）は構成されている請求項１〜７に記載の無線タグ（７−１４）。
【請求項９】
＋画像（３２）の少なくとも１つの新しい画像平面（２８、３０）を受信し、
＋画像（３２）の既存の画像平面（２８、３０）を、たった今受信した画像平面（２８、３０）と交換して新しい外観の画像を作成する、
ことにより、既存の画像（３２）を変更するように、上記無線タグ（３、４）は構成されている請求項８に記載の無線タグ（３、４）。
【請求項１０】
画像平面（２８、３０）に次の意味：
−画像内容の変更の第１または第２頻度、または、
−画像内容の第１または第２色、または、
−画像内容の第１または第２情報カテゴリ、
が与えられる画像（３２）を処理するように、上記無線タグ（７−１４）は構成されている請求項８または９に記載の無線タグ（７−１４）。
【請求項１１】
スリープ状態（Ｓ）からアクティブ状態（Ｅ）への切り替えを、ウェークアップ時刻（ＴＡ１、ＴＡ２）に、同期化データ信号（ＳＤ）の出現前にリードタイム（ＤＶ）を用いて実行するように、上記無線タグ（７−１４）は構成されている請求項１〜１０のいずれか１項に記載の無線タグ（７−１４）。
【請求項１２】
リードタイム（ＤＶ）はタイムスロット（Ｚ１−ＺＮ）のタイムスロット期間（ＤＳ）の第１部分である請求項１１に記載の無線タグ（７−１４）。
【請求項１３】
同期化データ信号（ＳＤ）の送信期間（ＤＳＤ）より長い受信期間（ＤＥ）の間にアクティブ状態（Ｅ）に入るように、上記無線タグ（７−１４）は構成されている請求項１〜１２のいずれか１項に記載の無線タグ（７−１４）。
【請求項１４】
同期化データ信号（ＳＤ）を受信するために入ったアクティブ状態（Ｅ）を、同期化データ信号（ＳＤ）の受信後の追従期間（ＤＮ）を用いて続けるように、上記無線タグ（７−１４）は構成されている請求項１〜１３のいずれか１項に記載の無線タグ（７−１４）。
【請求項１５】
追従期間（ＤＮ）は、タイムスロット（Ｚ１−ＺＮ）のタイムスロット期間（ＤＳ）の第２部分である、請求項１４に記載の無線タグ（７−１４）。
【請求項１６】
−繰り返しの連続で１つのタイムスロットサイクルにつき複数のタイムスロット（Ｚ１−ＺＮ）が通信のために設けられ、各タイムスロット（Ｚ１−ＺＮ）に一義的なタイムスロット記号（ＺＳ１−ＺＳＮ）が付けられているタイムスロット通信方法を用いて、複数の無線タグ（７−１４）と通信するための通信ステーション（３、４）を含むシステム（１）であって、
−上記通信ステーションは、目下のタイムスロット（Ｚ１−ＺＮ）のために、それぞれの前記タイムスロット（Ｚ１−ＺＮ）の開始時に、そのタイムスロット記号（Ｚ１−ＺＮ）を含む同期化データ信号（ＳＤ）を発信するように構成されており、
−無線タグ（７−１４）は、
＋ウェークアップ時刻（ＴＡ１）に、スリープ状態（Ｓ）からアクティブ状態（Ｅ）に切り替え、
＋アクティブ状態（Ｅ）で、同期化データ信号（ＳＤ）を受信し、
＋その無線タグによって予測される時刻に又はその予測期間に出現し、その無線タグに対して特定されるタイムスロット（ＺＳ１−ＺＳＮ）を示す上記タイムスロット記号（ＺＳ１−ＺＳＮ）を識別することだけによって、その無線タグと上記通信ステーション（３，４）との同期状態を確認し、
＋受信したタイムスロット記号（ＺＳ１−ＺＳＮ）が、無線タグ（７−１４）に指定されたタイムスロット（Ｚ１−ＺＮ）を表示する場合に、目下のタイムスロットサイクルの後続のタイムスロットサイクルに、指定されているタイムスロット（Ｚ１−ＺＮ）の次の出現に対応する新ウェークアップ時刻（ＴＡ２）を定義し、
前記無線タグ（７−１４）が、その同期状態を確認した後に、再度スリープ状態へ切り替え、そこで、再度、ウェークアップと、スリープ状態からアクティブ状態への切り替えとが、次のタイムスロットサイクルにおける新しいウェークアップ時刻に実行されるまでとどまるように構成されているシステム。
【請求項１７】
受信したタイムスロット記号（ＺＳ１−ＺＳＮ）が、無線タグ（７−１４）に指定されていないタイムスロット（Ｚ１−ＺＮ）を表示すれば、無線タグ（７−１４）は、指定されたタイムスロット（Ｚ１−ＺＮ）が目下のタイムスロットサイクルに出現する場合は目下のタイムスロットサイクルの間に、または、指定されたタイムスロット（Ｚ１−ＺＮ）が目下のタイムスロットサイクルにもはや出現しない場合には目下のタイムスロットサイクルの後続のタイムスロットサイクル間に、指定されているタイムスロット（Ｚ１−ＺＮ）の次の出現に対応する新ウェークアップ時刻（ＴＡ２）を定義するように構成されている請求項１６に記載のシステム（１）。
【請求項１８】
上記無線タグはタイムスロット通信方法のパラメータ保存のための保存ステージ（２６）を含み、無線タグ（７−１４）は、新ウェークアップ時刻（ＴＡ２）の定義のためにこのパラメータをアクセスおよび評価するように構成されている請求項１６または１７に記載のシステム（１）。
【請求項１９】
無線タグ（７−１４）は、その無線タグに指定されたタイムスロット（Ｚ１−ＺＮ）を表すタイムスロット記号（ＺＳ１−ＺＳＮ）の表示を保存するための保存ステージ（２６）を含む請求項１６〜１８のいずれか１項に記載のシステム（１）。
【請求項２０】
タイムスロット記号（ＺＳ１−ＺＳＮ）の上記表示は、無線タグ（７−１４）を一義的に確認する無線タグ（７−１４）のハードウェアアドレスを使用して構成され、不変なように保存ステージ（２６）中にプログラム入力されている請求項１９に記載のシステム（１）。
【請求項２１】
タイムスロット記号の上記表示は、上記ハードウェアアドレスの最下位ビットまたは最下位バイトにより実現されている請求項２０に記載のシステム（１）。
【請求項２２】
上記無線タグは、無線タグが知るタイムスロット記号が、同期化データ信号を受信するときのタイムスロット信号と一致するかどうかを確認するように構成されている請求項１６〜２１のいずれか１項に記載のシステム（１）。
【請求項２３】
通信ステーションは、タイムスロットサイクル中におけるタイムスロットの順番に沿った出現に応じて各タイムスロットの連続する番号としてタイムスロット記号を生成するように構成されている請求項１６〜２２のいずれか１項に記載のシステム（１）。
【請求項２４】
−通信ステーション（３、４）は、アドレスデータ（ＡＤ）を同期化データ信号（ＳＤ）に埋め込むように構成されており、このアドレスデータ（ＡＤ）を用いて、上記無線タグ（７−１４）に指定された１つのタイムスロット（Ｚ１−ＺＮ）につき複数の無線タグ（７−１４）が個別的アドレスでき、
−無線タグ（７−１４）は、受信したタイムスロット記号（ＺＳ１−ＺＳＮ）が、無線タグ（７−１４）に指定されたタイムスロット（Ｚ１−ＺＮ）を表示する場合、含まれているアドレスデータ（ＡＤ）に関して同期化データ信号（ＳＤ）を評価することと、該当無線タグ（７−１４）が個別的アドレスされているかを確認するように構成されている請求項１６〜２３のいずれか１項に記載のシステム（１）。
【請求項２５】
通信ステーション（３、４）は、無新タグ（７−１４）を一義的に確認する無線タグ（７−１４）のハードウェアアドレスの１つまたは複数のビットあるいはバイト（Ｂ３，Ｂ２，Ｂ１）を使用し、特に、最下位ビットまたは最下位バイト（Ｂ０）を省略して、アドレスデータ（ＡＤ）を生成するように構成されている請求項２４に記載のシステム（１）。
【請求項２６】
−通信ステーション（３、４）は、コマンドデータ（ＣＤ）を同期化データ信号（ＳＤ）に埋め込むように構成されており、このコマンドデータ（ＣＤ）を用いて、上記無線タグ（７−１４）に指定されたタイムスロット（Ｚ１−ＺＮ）の間にコマンドを１つの無線タグ（７−１４）へ送信でき、
−無線タグ（７−１４）は、受信したタイムスロット記号（ＺＳ１−ＺＳＮ）が、無線タグ（７−１４）に指定されたタイムスロット（Ｚ１−ＺＮ）を表示する場合、含まれているコマンドデータ（ＣＤ）に関して同期化データ信号（ＳＤ）を評価することと、コマンドを実行するように構成されている請求項１６〜２５のいずれか１項に記載のシステム（１）。
【請求項２７】
無線タグ（７−１４）は、アドレスデータ（ＡＤ）を用いて無線タグ（７−１４）が個別的アドレスされている場合に、コマンドデータ（ＣＤ）を評価し、そのコマンドを実行するように構成されている請求項２６に記載のシステム（１）。
【請求項２８】
無線タグ（７−１４）は、コマンドを受信したただ一つのタイムスロット（Ｚ１−ＺＮ）内で、コマンドを単タイムスロットコマンドとして実行し、実行されたコマンドを完了するように構成されている請求項２６または２７に記載のシステム（１）。
【請求項２９】
−無線タグ（７−１４）は、実行されているコマンドを完了する際、コマンドを受信したタイムスロット（Ｚ１−ＺＮ）において確認データ（ＡＣＤ）を生成してその確認データ（ＡＣＤ）を送信するように構成されている請求項２８に記載のシステム（１）。
【請求項３０】
−無線タグ（７−１４）は、タイムスロット（Ｚ１−ＺＮ）の第１部分（３６）において確認データ（ＡＣＤ）を送信するように構成されており、その第１部分（３６）は、時間的に同期化データ信号（ＳＤ）の後続に位置付けられており、次のタイムスロット（Ｚ１−ＺＮ）の同期化データ信号（ＳＤ）が出現する前のタイムスロット（Ｚ１−ＺＮ）の続きの第２部分（３７）に触れない請求項２９に記載のシステム（１）。
【請求項３１】
−無線タグ（７−１４）は１つのコマンドをマルチタイムスロットコマンドとして複数のタイムスロット（Ｚ１−ＺＮ）にわたって実行するように構成されている請求項２６または２７に記載のシステム（１）。
【請求項３２】
システム（１）は電子価格表示システムを実現し、無線タグ（７−１４）の表示ユニット（２７）は商品情報または価格情報などの表示として使われる請求項１６〜２７のいずれか１項に記載のシステム（１）。
【請求項３３】
−通信ステーション（３、４）は、各タイムスロット（Ｚ１−ＺＮ）の始まりにおいて同期化データ信号（ＳＤ）を送信するように構成されている請求項１６〜３２のいずれか１項に記載のシステム（１）。
【請求項３４】
−通信ステーション（３、４）は、確認期間データ（ＤＲ１−ＤＲ３）を同期化データ信号（ＳＤ）に埋め込むように構成されており、その確認期間データ（ＤＲ１−ＤＲ３）を用いて、無線タグ（７−１４）の確認データ（ＡＣＤ）が予想される、タイムスロット（Ｚ１−ＺＮ）内の確認時刻が決定でき、
−無線タグ（７−１４）は、上記時刻に確認データ（ＡＣＤ）を送信するように構成されている請求項１６〜３３のいずれか１項に記載のシステム（１）。
【請求項３５】
複数の通信ステーション（３、４）と、複数の無線タグ（７−１４）と、無線タグ（７−１４）に通信ステーション（３、４）の既存の接続を終了させて他の通信ステーション（３、４）に接続させるように構成されている情報処理装置（２）とを含む請求項１６〜３４のいずれか１項に記載のシステム（１）。